(57)【要約】【課題】撮影映像の所望フレームのフレーム画像を、パーソナルコンピュータ等の機器を介在させることなく、当該撮影映像とは異なるアスペクト比の写真としてプリントすることができなかった。【解決手段】撮影映像を第１の記録媒体に記録し、当該第１の記録媒体に記録された撮影映像の所望フレームのフレーム画像を切り出して第２の記録媒体に記録する撮像装置及びその制御方法において、撮影映像のうちの指定されたフレームのフレーム画像を第１の記録媒体から再生して表示すると共に、外部操作により選択されたサイズの画枠をフレーム画像上に表示させ、フレーム画像の画枠に囲まれた画像部分を第２の記録媒体に記録するようにした。【選択図】図２
2009044504.tif 000002
【特許請求の範囲】
【請求項１】
撮影映像を第１の記録媒体に記録し、当該第１の記録媒体に記録された前記撮影映像の所望フレームの画像を切り出して第２の記録媒体に記録する撮像装置において、
前記第１の記録媒体に記録された前記撮影映像を再生する再生部と、
前記再生部により前記第１の記録媒体から再生された前記撮影映像を表示する表示部と、
前記再生部により再生された前記撮影映像のうちの指定されたフレームのフレーム画像を前記表示部に表示させると共に、外部操作により選択されたサイズの画枠を前記フレーム画像上に表示させる画枠表示部と、
前記フレーム画像の前記画枠に囲まれた画像部分を前記第２の記録媒体に記録する記録部と
を備えることを特徴とする撮像装置。
【請求項２】
前記画枠表示部は、
外部操作に応じて、前記フレーム画像上に表示させた前記画枠の表示位置を指定された方向に移動させる
ことを特徴とする請求項１に記載の撮像装置。
【請求項３】
前記画枠表示部は、
外部操作に応じて、前記フレーム画像上に表示させた前記画枠を拡大又は縮小させる
ことを特徴とする請求項１に記載の撮像装置。
【請求項４】
前記画枠表示部は、
外部操作に応じて、前記撮影映像の任意の第１及び第２のフレームのフレーム画像上にそれぞれ第１及び第２の画枠を設定すると共に、前記第１及び第２のフレーム間に存在する一定間隔ごとの第３のフレームのフレーム画像上に、位置及び大きさを前記第１の画枠の位置及び大きさから第２の画枠の位置及び大きさに段階的に変化させてゆくように、仮想的な第３の画枠を設定し、
前記記録部は、
前記第１乃至第３のフレームの各前記フレーム画像における前記第１、第２又は第３の画枠により囲まれた各画像部分をそれぞれ前記第２の記録媒体に記録する
ことを特徴とする請求項１に記載の撮像装置。
【請求項５】
撮影映像を第１の記録媒体に記録し、当該第１の記録媒体に記録された前記撮影映像の所望フレームのフレーム画像を切り出して第２の記録媒体に記録する撮像装置の制御方法において、
前記撮影映像のうちの指定されたフレームのフレーム画像を前記第１の記録媒体から再生して表示すると共に、外部操作により選択されたサイズの画枠を前記フレーム画像上に表示させる第１のステップと、
前記フレーム画像の前記画枠に囲まれた画像部分を前記第２の記録媒体に記録する第２のステップと
を備えることを特徴とする撮像装置の制御方法。
【請求項６】
前記第１のステップでは、
外部操作に応じて、前記フレーム画像上に表示させた前記画枠の表示位置を指定された方向に移動させる
ことを特徴とする請求項５に記載の撮像装置の制御方法。
【請求項７】
前記第１のステップでは、
外部操作に応じて、前記フレーム画像上に表示させた前記画枠を拡大又は縮小させる
ことを特徴とする請求項５に記載の撮像装置の制御方法。
【請求項８】
前記第１のステップでは、
外部操作に応じて、前記撮影映像の任意の第１及び第２のフレームのフレーム画像上にそれぞれ第１及び第２の画枠を設定すると共に、前記第１及び第２のフレーム間に存在する一定間隔ごとの第３のフレームのフレーム画像上に、位置及び大きさを前記第１の画枠の位置及び大きさから第２の画枠の位置及び大きさに段階的に変化させてゆくように、仮想的な第３の画枠を設定し、
前記第２のステップでは、
前記第１乃至第３のフレームの各前記フレーム画像における前記第１、第２又は第３の画枠により囲まれた各画像部分をそれぞれ前記第２の記録媒体に記録する
ことを特徴とする請求項５に記載の撮像装置の制御方法。
【発明の詳細な説明】
【技術分野】
【０００１】
本発明は、撮像装置及びその制御方法に関し、例えばビデオカメラに適用して好適なものである。
【背景技術】
【０００２】
近年、コンシューマ用のビデオカメラとして、装填された光ディスクや内蔵するハードディスクに記録された撮影映像の所望フレームの画像を切り出してＳＤ（Secure Digital）カード等のメモリカードに記録する機能（以下、これを静止画キャプチャー機能と呼ぶ）が搭載されたものが開発され、販売されている（特許文献１参照）。
【０００３】
また近年では、コンシューマ用のビデオカメラの分野においてもハイビジョン化が進み、アスペクト比が従来の４：３の映像だけでなく、１６：９の映像をも光ディスクや内蔵するハードディスクに保存できるようになされたものも多く登場している。
【０００４】
【特許文献１】特開２００７−１８０７３９号公報
【発明の開示】
【発明が解決しようとする課題】
【０００５】
ところで、近年販売されているプリンタの中にはメモリカードから直接画像データを読み出し、当該画像データに基づく画像をプリントできるタイプのものも数多く存在している。そして、静止画キャプチャー機能が搭載されたビデオカメラのユーザの中には、メモリカードに記録した撮影映像から切り出した画像（以下、これをキャプチャー画像と呼ぶ）をこのようなプリンタを用いて自宅でプリントするユーザも多く存在する。
【０００６】
この場合において、従来のビデオカメラでは、静止画キャプチャー機能によりキャプチャー画像をメモリカードに記録する場合、一連の撮影映像のうちのユーザにより指定されたフレームの画像をそのままメモリカードに記録するため、かかるキャプチャー画像のアスペクト比は元の撮影映像のアスペクト比と同じになる。
【０００７】
従って、例えばアスペクト比が１６：９の撮影映像から切り出されたキャプチャー画像を写真フォーマットとして一般的な４：３のアスペクト比の写真にプリントするためには、撮影映像から切り出されたキャプチャー画像のアスペクト比を４：３に変換するためのソフトウェアがインストールされたパーソナルコンピュータが必要となる問題があった。
【０００８】
そこで、撮影映像から切り出したキャプチャー画像を、パーソナルコンピュータ等の機器を介在させることなく、かかるプリンタを用いて異なるアスペクト比の写真としてプリントすることができれば便利であると考えられる。
」  
【０００９】
本発明は以上の点を考慮してなされたもので、機能性を向上させ得る撮像装置及びその制御方法を提案しようとするものである。
【課題を解決するための手段】
【００１０】
かかる課題を解決するため本発明においては、撮影映像を第１の記録媒体に記録し、当該第１の記録媒体に記録された前記撮影映像の所望フレームのフレーム画像を切り出して第２の記録媒体に記録する撮像装置において、前記第１の記録媒体に記録された前記撮影映像を再生する再生部と、前記再生部により前記第１の記録媒体から再生された前記撮影映像を表示する表示部と、前記再生部により再生された前記撮影映像のうちの指定されたフレームのフレーム画像を前記表示部に表示させると共に、外部操作により選択されたサイズの画枠を前記画像上に表示させる画枠表示部と、前記フレーム画像の前記画枠に囲まれた画像部分を前記第２の記録媒体に記録する記録部とを備えることを特徴とする。
【００１１】
また本発明においては、撮影映像を第１の記録媒体に記録し、当該第１の記録媒体に記録された前記撮影映像の所望フレームの画像を切り出して第２の記録媒体に記録する撮像装置の制御方法において、前記撮影映像のうちの指定されたフレームのフレーム画像を前記第１の記録媒体から再生して表示すると共に、外部操作により選択されたサイズの画枠を前記フレーム画像上に表示させる第１のステップと、前記フレーム画像の前記画枠に囲まれた画像部分を前記第２の記録媒体に記録する第２のステップとを備えることを特徴とする。
【発明の効果】
【００１２】
本発明によれば、撮影映像の所望フレームのフレーム画像を、パーソナルコンピュータ等の機器を介在させることなく、当該撮影映像とは異なるアスペクト比の写真としてプリントすることができ、かくして撮像装置の機能性を向上させることができる。
【発明を実施するための最良の形態】
【００１３】
以下図面について、本発明の一実施の形態を詳述する。
【００１４】
（１）第１の実施の形態
（１−１）本実施の形態によるビデオカメラの構成
図１において、１は全体として本実施の形態によるビデオカメラを示す。このビデオカメラ１においては、光ディスクドライブ２及びハードディスクドライブ３を内蔵しており、撮影映像を例えばＤＶＤ（Digital Versatile Disc）又はＢＤ（Blu-ray）等の光ディスク４に記録できるだけでなく、ハードディスクにも記録して保存し得るようになされている。
【００１５】
実際上、ビデオカメラ１においては、操作部５が操作されて撮影モードが選択された場合、被写体像が撮影部６の撮影光学系７によりＣＭＯＳ（Complementary Metal Oxide Semiconductor）８上に結像され、これが当該ＣＭＯＳ８において光電変換される。そして、このとき得られた画像信号がアナログ／ディジタル変換器９を介して撮像データとして信号処理部１０に与えられる。また、このときビデオカメラ１に内蔵された図示しないマイクロホンから出力される外部音声の音声信号も信号処理部１０に与えられる。
【００１６】
信号処理部１０は、供給される撮像データに対してガンマ補正処理及びＡＧＣ（Auto Gain Control）処理等の所定の信号処理を施すと共に、供給される音声信号に対してアナログ／ディジタル変換処理を施し、得られた映像データ及び音声データのうちの映像データをＬＣＤ（Liquid Crystal Display）等からなる表示部１１に送出する。この結果、かかる映像データに基づく映像（つまり、そのときの撮影映像）が表示部２２に表示される。また、信号処理部１０は、これと併せて映像データ及び音声データを記録再生信号処理部１２に送出する。
【００１７】
記録再生信号処理部１２は、コントロール部１３の制御のもとに、信号処理部１０から与えられる映像データ及び音声データに対して変調処理、圧縮処理及び誤り訂正符号付加処理等の所定の記録信号処理を施し、得られた記録用映像データ及び記録用音声データを、データバス１４を介してバッファメモリ１５に格納する。
【００１８】
そしてこのバッファメモリ１５に格納された記録用映像データ及び記録用音声データは、この後、コントロール部１３の制御のもとに、データバス１４を介して光ディスクドライブ２又はハードディスクドライブ３により読み出されて、光ディスク４又はハードディスクに記録される。
【００１９】
一方、コントロール部１３は、操作部５が選択されて再生モードが選択された場合、対応する光ディスクドライブ２又はハードディスクドライブ３を制御することにより、光ディスク４又はハードディスクに記録された記録用映像データ及び記録用音声データを再生させる。そしてこのとき再生された記録用映像データ及び記録用音声データがバッファメモリ１５に格納される。
【００２０】
このバッファメモリ１５に格納された記録用映像データ及び記録用音声データは、この後、コントロール部１３の制御のもとに、データバス１４を介して記録再生信号処理部１２により読み出される。そして記録再生信号処理部１２は、読み出した記録用映像データ及び記録用音声データに対して誤り訂正処理、伸張処理及び復調処理等の所定の再生信号処理を施し、得られた映像データ及び音声データを信号処理部１０に送出する。
【００２１】
信号処理部１０は、コントロール部１３の制御のもとに、供給される映像データ及び音声データに対してＡＧＣ処理等の所定の信号処理を施した後、映像データを表示部１１に送出すると共に音声データをビデオカメラ１に内蔵された図示しないスピーカに送出する。この結果、再生された映像データに基づく映像が表示部１１に表示され、再生された音声データに基づく音声がスピーカから出力される。
【００２２】
（１−２）本実施の形態による静止画キャプチャー機能
次に、かかるビデオカメラ１に搭載された静止画キャプチャー機能について説明する。このビデオカメラ１には、光ディスク４やハードディスクに記録された記録用映像データに基づく撮影映像の所望フレームの一部を４：３又は１６：９のアスペクト比の静止画像として切り出し、これをメモリカード１６に記録する第１の静止画キャプチャー機能が搭載されている。
【００２３】
図２は、このような第１の静止画キャプチャー機能に関するコントロール部１３の処理内容を示すフローチャートである。コントロール部１３は、図示しない内部メモリに格納された対応する制御プログラムに基づいて、この図２に示す第１の静止画キャプチャー処理を実行する。
【００２４】
すなわちコントロール部１３は、操作部５が操作されて第１の静止画キャプチャー処理の実行命令が入力されると、この第１の静止画キャプチャー処理を開始し、対応する光ディスクドライブ２又はハードディスクドライブ３を制御することにより、光ディスク４又はハードディスクに記録された記録用映像データに基づく撮影映像の再生を開始させる。またコントロール部１３は、これと併せて記録再生信号処理部１２及び信号処理部１０を制御することにより、光ディスク４又はハードディスクから再生された撮影映像を表示部１１に表示させる（ＳＰ１）。
【００２５】
続いてコントロール部１３は、操作部５が操作されてキャプチャーすべきフレームが指定されるのを待ち受け（ＳＰ２）、やがてかかるフレームが指定されると、対応する光ディスクドライブ２又はハードディスクドライブ３を制御することにより、撮影映像の再生を一時停止させる。この結果、表示部１１には、例えば図３（Ａ）に示すような撮影映像のうちの指定されたフレームのフレーム画像２０が表示される。またコントロール部１３は、これと併せて信号処理部１０を制御することにより、静止画キャプチャー処理を実行するか否かをユーザに問い合わせる図３（Ｂ）に示すような実行確認ダイアログ１２を表示部１１に表示させる（ＳＰ３）。
【００２６】
続いてコントロール部１３は、かかる実行確認ダイアログ２１に表示された、第１の静止画キャプチャー処理を実行しない方の選択肢（「いいえ」）及び第１の静止画キャプチャー処理を実行する方の選択肢（「はい」）のいずれかが選択されるのを待ち受ける（ＳＰ４）。そしてコントロール部１３は、操作部５が操作されて前者の選択肢が選択されると、ステップＳＰ１に戻り、これに対して後者の選択肢が選択されると、信号処理部１０を制御することにより、メモリカード１６に記録するキャプチャー画像のアスペクト比として「４：３」又は「１６：９」のいずれを選択するかをユーザに問い合わせる図３（Ｃ）に示すようなサイズ確認ダイアログ２２を表示部１０に表示させる（ＳＰ５）。
【００２７】
この後コントロール部１４は、メモリカード１６に記録するキャプチャー画像のアスペクト比として「４：３」及び「１６：９」のいずれかが選択されるのを待ち受け、やがて操作部５が操作されて前者の選択肢が選択されると、元の撮影映像のアスペクト比がそのとき選択されたアスペクト比と同じ４：３であるか否かを判断する（ＳＰ６）。
【００２８】
コントロール部１３は、この判断において肯定結果を得ると、これに応じたコマンドを記録再生信号処理部１２及びメモリカードドライブ１７に送信する。かくして記録再生信号処理部１２は、このコマンドに基づいて、このとき表示部１１に表示されているフレーム画像２０の記録用映像データをバッファメモリ１１から読み出す。また記録再生信号処理部１２は、この記録用映像データに対して上述の再生信号処理を施し、この再生信号処理により得られた映像データを今度はＪＰＥＧ（Joint Photographic Experts Group）等の所定の静止画像圧縮フォーマットで圧縮符号化した後、かくして得られた静止画像データをバッファメモリ１５に格納する（ＳＰ７）。
【００２９】
またメモリカードドライブ１７は、かかるコマンドに基づいて、バッファメモリ１５に格納されたかかる静止画像データをデータバス１４を介して読み出し、これをビデオカメラ１に装填されたメモリカード１６に記録する（ＳＰ１６）。
【００３０】
これに対してコントロール部１３は、ステップＳＰ６の判断において否定結果を得ると、これに応じたコマンドを信号処理部１０に送信する。かくして信号処理部１０は、かかるコマンドに基づいて、図３（Ｄ）に示すように、このとき表示部１１に表示されているフレーム画像２０上に、その縦方向の長さが当該フレーム画像２０の縦方向の長さと同じ大きさの縦横比が４：３の画枠２３を表示させる（ＳＰ８）
【００３１】
またコントロール部１３は、この後、操作部５の図示しない右ボタンが操作されると、これに応じて信号処理部１０を制御することにより、かかる画枠２３を右方向に移動させる一方、操作部５の図示しない左ボタンが操作されると、これに応じて信号処理部１０を制御することにより、画枠２３を左方向に移動させる。このようにコントロール部１３は、操作部５の右ボタン及び左ボタンの操作に応じて、表示部５に表示された画枠２３の位置を左右方向に移動させながら、画枠２３の位置が決定されるのを待ち受ける（ＳＰ９）。
【００３２】
そしてコントロール部１３は、やがて操作部５の図示しない決定ボタンが操作されると、これに応じたコマンドを記録再生信号処理部１２及びメモリカードドライブ１７に送信する。かくして記録再生信号処理部１２は、かかるコマンドに基づいて、そのとき表示部１１に表示されたフレーム画像２０のうちの画枠２３により囲まれた画像部分の記録用映像データをバッファメモリ１５から読み出し、この記録用映像データをステップＳＰ７のときと同様にして所定の静止画像圧縮規格に応じたフォーマットの静止画像データに変換した後、これをバッファメモリ１５に格納する（ＳＰ１０）。またメモリカードドライブ１７は、かかるコマンドに基づいて、バッファメモリ１５に格納されたかかる静止画像データをデータバス１４を介して読み出し、これをメモリカード１６に記録する（ＳＰ１６）。
【００３３】
一方、コントロール部１３は、ステップＳＰ５において、メモリカード１６に記録するキャプチャー画像のアスペクト比として「１６：９」が選択された場合、元の撮影映像のアスペクト比がそのとき選択されたアスペクト比と同じ１６：９であるか否かを判断する（ＳＰ１１）。
【００３４】
そしてコントロール部１３は、この判断において肯定結果を得ると、これに応じたコマンドを記録再生信号処理部１２及びメモリカードドライブ１７に送信する。かくして記録再生信号処理部１２は、このコマンドに基づいて、このとき表示部１１に表示されているフレーム画像の記録用映像データをステップＳＰ７のときと同様にして静止画像データに変換し、これをバッファメモリ１５に格納する（ＳＰ１２）。またメモリカードドライブ１７は、かかるコマンドに基づいて、バッファメモリ１５に格納されたかかる静止画像データをデータバス１４を介して読み出し、これをメモリカード１６に記録する（ＳＰ１６）。
【００３５】
これに対してコントロール部１３は、ステップＳＰ１１の判断において否定結果を得ると、これに応じたコマンドを信号処理部１０に送信する。かくして信号処理部１０は、かかるコマンドに基づいて、図３（Ｅ）に示すように、このとき表示部１１に表示されているフレーム画像２０上に、当該フレーム画像２０と同じ横方向の長さで縦横比が１６：９の画枠２４を表示させる（ＳＰ１３）。
【００３６】
またコントロール部１３は、この後、操作部５の図示しない下ボタンが操作されると、これに応じて信号処理部１０を制御することにより、かかる画枠２４を下方向に移動させる一方、操作部５の図示しない上ボタンが操作されると、これに応じて信号処理部１０を制御することにより、画枠２４を左方向に移動させる。このようにコントロール部１３は、操作部５の上ボタン及び下ボタンの操作に応じて、表示部１１に表示された画枠２４の位置を上下方向に移動させながら、画枠２４の位置が決定されるのを待ち受ける（ＳＰ１４）。
【００３７】
そしてコントロール部１３は、やがて操作部５の決定ボタンが操作されると、これに応じたコマンドを記録再生信号処理部１２及びメモリカードドライブ１７に送信する。かくして記録再生信号処理部１２は、かかるコマンドに基づいて、そのとき表示部１１に表示されたフレーム画像２０のうちの画枠２４により囲まれた画像部分の記録用映像データをバッファメモリ１５から読み出し、この記録用映像データをステップＳＰ７のときと同様にして静止画像データに変換した後、これをバッファメモリ１５に格納する（ＳＰ１５）。またメモリカードドライブ１７は、かかるコマンドに基づいて、バッファメモリ１５に格納されたかかる静止画像データをデータバス１４を介して読み出し、これをメモリカード１６に記録する（ＳＰ１６）。
【００３８】
（１−３）本実施の形態の効果
以上のように本実施の形態によるビデオカメラ１では、光ディスク４やハードディスクに記録された記録用映像データに基づく撮影映像の所望フレームの一部を指定されたサイズ（アスペクト比が「４：３」又は「１６：９」）のキャプチャー画像として切り出し、これをメモリカード１６に記録することができるため、撮影映像のアスペクト比に関わりなく、所望のアスペクト比のキャプチャー画像をメモリカード１６に記録することができる。かくするにつき、パーソナルコンピュータを介在させることなく所望のアスペクト比の写真を得ることができ、かくしてビデオカメラの機能性を向上させることができる。
【００３９】
（２）第２の実施の形態
図１において３０は全体として第２の実施の形態によるビデオカメラを示す。このビデオカメラ３０は、表示部１１に表示された撮影映像の所望フレームから切り出す画像部分の位置及び大きさを自在に設定できる第２の静止画キャプチャー機能が搭載されている点を除いて第１の実施の形態によるビデオカメラ１と同様に構成されている。
【００４０】
図４は、このような第２の静止画キャプチャー機能に関するコントロール部３１の具体的な処理内容を示すフローチャートである。コントロール部３１は、図示しない内部メモリに格納された対応する制御プログラムに基づいて、この図４に示す第２の静止画キャプチャー処理を実行する。
【００４１】
すなわちコントロール部３１は、操作部５が操作されて第２の静止画キャプチャー処理の実行命令が入力されると、この第２の静止画キャプチャー処理を開始し、ステップＳＰ２０〜ステップＳＰ２４を図２について上述した第１の静止画キャプチャー処理のステップＳＰ１〜ステップＳＰ５と同様に処理する（図５（Ａ）〜図５（Ｃ）参照）。
【００４２】
そしてコントロール部３１は、ステップＳＰ２４において表示部１１に表示させたサイズ確認ダイアログ２２（図５（Ｃ））において、メモリカード１６に記録するキャプチャー画像のアスペクト比として「４：３」が選択されると、これに応じて信号処理部３２を制御することにより、図５（Ｄ）に示すように、表示部１１に表示されたフレーム画像２０上に縦横比が４：３の画枠３５を表示させる（ＳＰ２５）。なお、このとき表示される画枠３５の位置及び大きさは、任意の位置及び大きさで良い。
【００４３】
またコントロール部３１は、ステップＳＰ２４において、メモリカード１６に記録するキャプチャー画像のアスペクト比として「１６：９」が選択されると、これに応じて信号処理部３２を制御することにより、図５（Ｄ）に示すように、表示部１１に表示されたフレーム画像２０上に縦横比が１６：９の画枠３６を表示させる（ＳＰ２６）。なお、このとき表示される画枠３６の位置及び大きさは、任意の位置及び大きさで良い。
【００４４】
この後コントロール部３１は、操作部５の上ボタン、下ボタン、右ボタン又は左ボタンが操作されると、これに応じて信号処理部３２を制御することにより、かかる画枠３５，３６を上方向、下方向、右方向又は左方向に移動させる一方、操作部５の図示しないズームボタンが操作されると、これに応じて信号処理部３２を制御することにより、かかる画枠３５，３６を縦横比を変えずに拡大又は縮小させる。このようにコントロール部３１は、ユーザの操作に応じて表示部１１に表示された画枠３５，３６の位置を上下左右方向に移動させ又は画枠３５，３６を拡大縮小させながら、画枠３５，３６の位置及び大きさが決定されるのを待ち受ける（ＳＰ２７）。
【００４５】
そしてコントロール部３１は、やがて操作部５の決定ボタンが操作されると、これに応じたコマンドを記録再生信号処理部１２及びメモリカードドライブ１７に送信する。かくして記録再生信号処理部１２は、かかるコマンドに基づいて、そのとき表示部１１に表示されているフレーム画像２０のうちの画枠３５，３６により囲まれた部分の記録用映像データをバッファメモリ１５から読み出す。また記録再生信号処理部１２は、この記録用映像データに対して上述の再生信号処理を施し、かくして得られた映像データを信号処理部３２を介して表示部１１に送信する。この結果、それまで表示部１１に表示されていたフレーム画像２０のうちのステップＳＰ２７において位置及び大きさが決定された画枠３５，３６に囲まれた画像部分が切り出され、拡大されて表示部１１に表示される（ＳＰ２８）。
【００４６】
またこのとき信号処理部３２は、かかる拡大されて表示部１１に表示された画像上にステップＳＰ２５又はステップＳＰ２６において表示した画枠３５，３６と同じ画枠３５，３６を表示させる（図５（Ｅ））。そしてコントロール部３１は、この後、ステップＳＰ２７と同様にしてかかる画枠３５，３６の位置及び大きさが決定されるのを待ち受ける（ＳＰ２９）。なお、ここでは図５（Ｅ）でも画枠３５，３６の位置及び大きさを変更できるように、図５（Ｅ）に画枠３５，３６を表示させることとしたが、処理簡便化のために図５（Ｅ）では画枠３５，３６の位置及び大きさを変更させない場合には画枠３５，３６を表示させなくてもよい。
【００４７】
そしてコントロール部３１は、やがて操作部５の決定ボタンが操作されると、これに応じたコマンドを記録再生信号処理部１２及びメモリカードドライブ１７に送信する。かくして記録再生信号処理部１２は、かかるコマンドに基づいて、そのとき表示部１１に表示された切出し画像のうちのそのとき画枠３５，３６により囲まれた画像部分の記録用映像データをバッファメモリ１５から読み出し、この記録用映像データを図２について上述した第１の静止画キャプチャー処理のステップＳＰ７と同様にして所定の静止画圧縮符号化フォーマットの静止画像データに変換した後、これをバッファメモリ１５に格納する（ＳＰ３０）。またメモリカードドライブ１７は、かかるコマンドに基づいて、バッファメモリ１５に格納されたかかる静止画像データをデータバス１４を介して読み出し、これをメモリカード１６に記録する（ＳＰ３１）。
【００４８】
以上のように本実施の形態によるビデオカメラ３０では、撮影映像のユーザにより指定されたフレーム画像から切り出す画像部分の大きさを自在に設定できるため、所望シーンの所望の画像部分のみを切り出してメモリカード１６に記録することができる。
【００４９】
この場合において、近年では、ビデオカメラは高画素化の傾向にあり、このように所望シーンの所望の画像部分のみを切り出したとしても画素数の多いキャプチャー画像を得ることができるため、かかるキャプチャー画像をプリントした場合においても高精細な写真を得ることができる。
【００５０】
（３）第３の実施の形態
図１において４０は全体として第３の実施の形態によるビデオカメラを示す。このビデオカメラ４０は、連続したキャプチャー画像が得られる第３の静止画キャプチャー機能が搭載されている点を除いて第１の実施の形態によるビデオカメラ１と同様に構成されている。
【００５１】
すなわち、本実施の形態によるビデオカメラ４０は、図６（Ａ−１）に示すように、撮影映像の任意の第１のフレームのフレーム画像５０上に第１の画枠５１を設定すると共に、図６（Ａ−５）に示すように、当該第１のフレームよりも後の第２のフレームのフレーム画像５２上に第２の画枠５３を設定することによって、図６（Ａ−１）〜図６（Ａ−５）に示すように、第１及び第２のフレーム５０，５２間に存在する一定間隔ごとの第３のフレームのフレーム画像５４上に、位置及び大きさを第１の画枠５１の位置及び大きさから第２の画枠５３の位置及び大きさに段階的に変化させてゆくように仮想的な第３の画枠５５を自動設定する。そして、ビデオカメラ４０は、この後図６（Ｂ−１）〜図６（Ｂ−５）に示すように、第１〜第３のフレームの各フレーム画像５０，５４，５２における第１〜第３の画枠５１，５３，５５により囲まれた各画像部分をそれぞれ切り出して一連のキャプチャー画像としてメモリカード１６に記録する。
【００５２】
図７は、このような第３の静止画キャプチャー機能に関するコントロール部４１の具体的な処理内容を示すフローチャートである。コントロール部４１は、図示しない内部メモリに格納された対応する制御プログラムに基づいて、この図７に示す第３の静止画キャプチャー処理を実行する。
【００５３】
すなわちコントロール部４１は、操作部５が操作されて第３の静止画キャプチャー処理の実行命令が入力されると、この第２の静止画キャプチャー処理を開始し、対応する光ディスクドライブ２又はハードディスクドライブ３を制御することにより、光ディスク４又はハードディスクに記録された記録用映像データに基づく撮影映像の再生を開始させる。またコントロール部４１は、これと併せて記録再生信号処理部１２及び信号処理部１０を制御することにより、光ディスク４又はハードディスクから再生された撮影映像を表示部１１に表示させる（ＳＰ４０）。
【００５４】
続いてコントロール部４１は、第１の画枠５１を設定する第１のフレームが指定されるのを待ち受け（ＳＰ４１）、やがて操作部５が操作されてかかる第１のフレームが指定されると、光ディスクドライブ２及びハードディスクドライブ３と、記録再生信号処理部１２とを制御することにより、再生動作を一時停止させる（ＳＰ４２）。従って、この状態では、ユーザが指定した第１のフレームのフレーム画像５０が表示部１１に表示される。
【００５５】
続いてコントロール部４１は、信号処理部４２を制御して図３（Ｃ）について上述したサイズ確認ダイアログ２２を表示部１１に表示させ、第１の画枠５１（及び第２の画枠５３）のサイズ（アスペクト比が「４：３」又は「１６：９」）をユーザに指定させる。そしてコントロール部４１は、このサイズ確認ダイアログ２２において第１の画枠５１（及び第２の画枠５３）のサイズが選択されると、信号処理部４２を制御することにより、そのサイズの第１の画枠５１を第１のフレームのフレーム画像５０上に表示させる。
【００５６】
またコントロール部４１は、この後、操作部５の上ボタン、下ボタン、右ボタン又は左ボタンが操作されると、これに応じて信号処理部４２を制御することにより、かかる第１のフレームのフレーム画像５０上に表示された第１の画枠５１を上方向、下方向、右方向又は左方向に移動させる一方、操作部５の図示しないズームボタンが操作されると、これに応じて信号処理部４２を制御することにより、かかる第１の画枠５１を拡大又は縮小させる。このようにコントロール部４１は、ユーザの操作に応じて第１の画枠５１の位置を上下左右方向に移動させ又は第１の画枠５１を拡大縮小させながら、第１の画枠５１の位置及び大きさが決定されるのを待つ（ＳＰ４３）。
【００５７】
そしてコントロール部４１は、やがて操作部５の決定ボタンが操作されると、これに応じたコマンドを光ディスクドライブ２及びハードディスクドライブ３と、記録再生信号処理部１２とに送信することにより再生動作の一時停止を解除し、撮影映像の再生動作を再開させる（ＳＰ４４）。
【００５８】
続いてコントロール部４１は、第２の画枠５３を設定する第２のフレームが指定されるのを待ち受け（ＳＰ４５）、やがて操作部５が操作されてかかる第２のフレームが指定されると、光ディスクドライブ２及びハードディスクドライブ３と、記録再生信号処理部１２とを制御することにより、再生動作を一時停止させる（ＳＰ４６）。従って、この状態では、ユーザが指定した第２のフレームのフレーム画像５２が表示部１１に表示される。
【００５９】
続いてコントロール部４１は、信号処理部４２を制御することにより、ステップＳＰ４３においてユーザにより選択されたサイズの第２の画枠５３を第２のフレームのフレーム画像５２上に表示させる。
【００６０】
またコントロール部４１は、この後、操作部５の上ボタン、下ボタン、右ボタン又は左ボタンが操作されると、これに応じて信号処理部３２を制御することにより、かかる第２のフレームのフレーム画像５２上に表示された第２の画枠５３を上方向、下方向、右方向又は左方向に移動させる一方、操作部５のズームボタンが操作されると、これに応じて信号処理部４２を制御することにより、かかる第２の画枠５３を拡大又は縮小させる。このようにコントロール部４１は、ユーザの操作に応じて第２の画枠５３の位置を上下左右方向に移動させ又は第２の画枠５３を拡大縮小させながら、第２の画枠５３の位置及び大きさが決定されるのを待つ（ＳＰ４７）。
【００６１】
そしてコントロール部４１は、やがて操作部５の決定ボタンが操作されると、第１及び第２のフレーム間に存在するフレームの中から一定間隔ごとに第３のフレームを選択すると共に、選択した各第３のフレームのフレーム画像５４上に、位置及び大きさを第１の画枠５１の位置及び大きさから第２の画枠５３の位置及び大きさに段階的に変化させてゆくように、仮想的な第３の画枠５５をそれぞれ設定する。具体的には、仮想的な第３の画枠５５の位置及び大きさを、第１及び第２の画枠の位置や大きさを線形的に補間するようにして設定する。また、例えば、被写体を認識しその被写体を中心にして仮想的な第３の画枠５５の位置や大きさを設定する方法としてもよい。これにより、より適切に被写体の画像部分を切り出せるからである。そしてコントロール部４１は、このようにして第１〜第３のフレームについてそれぞれ設定された第１〜第３の画枠５１，５５，５３により囲まれた画像部分を順次切り出す（ＳＰ４８）。
【００６２】
具体的にコントロール部４１は、光ディスクドライブ２又はハードディスクドライブ３を制御することにより、第１〜第３のフレームの記録用映像データを光ディスク４又はハードディスクから読み出させてこれをバッファメモリ１５に格納させる。
【００６３】
またコントロール部４１は、これと併せて記録再生信号処理部１２及びメモリカードドライブ１７に所定のコマンドを送信する。かくして記録再生信号処理部１２は、かかるコマンドに基づいて、第１〜第３のフレームについて、これら第１〜第３のフレームのフレーム画像５０，５４，５２上にそれぞれ設定された第１〜第３の画枠５１，５５，５３により囲まれた部分の記録用映像データをバッファメモリ１５から順次読み出し、この記録用映像データを図２について上述した第１の静止画キャプチャー処理のステップＳＰ６と同様にして所定の静止画圧縮符号化フォーマットの静止画像データに変換した後、これをバッファメモリ１５に格納する。またメモリカードドライブ１７は、かかるコマンドに基づいて、バッファメモリ１７に格納されたかかる静止画像データをデータバス１４を介して読み出し、これをメモリカード１６に記録する（ＳＰ４９）。
【００６４】
以上のように本実施の形態によるビデオカメラでは、第１及び第２の画枠５１，５３を設定することによって、第１及び第２のフレーム間に存在する一定間隔ごとの第３のフレーム画像上に、位置及び大きさを第１の画枠５１の位置及び大きさから第２の画枠５３の位置及び大きさに段階的に変化させてゆくように仮想的な第３の画枠５５を自動設定し、第１〜第３のフレームの各フレーム画像５０，５４，５２における第１〜第３の画枠５１，５３，５５により囲まれた各画像部分をそれぞれ切り出してキャプチャー画像としてメモリカード１６に記録するため、例えば撮影映像の中から移動している人や車の画像部分を連続的に切り出してキャプチャー画像としてメモリカード１６に記録することができる。かくするにつき、連続するキャプチャー画像の取得を容易化することができ、かくしてビデオカメラの機能性を格段的に向上させることができる。
【００６５】
（４）他の実施の形態
なお上述の第１〜第３の実施の形態においては、本発明を、撮影映像を記録する第１の記録媒体が光ディスク４又はハードディスクで、キャプチャー画像を記録する第２の記録媒体がメモリカード１６であるビデオカメラ１，３０，４０に適用するようにした場合について述べたが、本発明はこれに限らず、第１の記録媒体が磁気テープであるビデオカメラや、第２の記録媒体が第１の記録媒体と同じものであるビデオカメラにも広く適用することができる。この場合において、かかる第１の記録媒体に記録された撮影映像を再生する再生部や、第２の記録媒体にキャプチャー画像を記録する記録部としては、その第１の記録媒体や第２の記録媒体に応じたドライブを適用すればよい。
【００６６】
また上述の第１〜第３の実施の形態においては、外部操作により選択されたサイズの画枠２３，２４，３５，５１，５３をユーザにより指定されたフレームのフレーム画像上に表示させる画枠表示部として、撮影モード時に、撮像データに対してガンマ補正処理及びＡＧＣ処理等の所定の信号処理を施す信号処理部１０，３２，４２を適用するようにした場合について述べたが、本発明はこれに限らず、かかる画枠表示部を信号処理部１０，３２，４２とは別に設けるようにしてもよい。
【図面の簡単な説明】
【００６７】
【図１】本実施の形態によるビデオカメラの全体構成を示すブロック図である。
【図２】第１の静止画キャプチャー処理の処理手順を示すフローチャートである。
【図３】（Ａ）〜（Ｅ）は、第１の静止画キャプチャー処理の説明に供する略線図である。
【図４】第２の静止画キャプチャー処理の処理手順を示すフローチャートである。
【図５】（Ａ）〜（Ｅ）は、第２の静止画キャプチャー処理の説明に供する略線図である。
【図６】（Ａ−１）〜（Ａ−５）及び（Ｂ−１）〜（Ｂ−５）は、第３の静止画キャプチャー処理の説明に供する略線図である。
【図７】第７の静止画キャプチャー処理の処理手順を示すフローチャートである。
【符号の説明】
【００６８】
１，３０，４０……ビデオカメラ、２……光ディスクドライブ、３……ハードディスクドライブ、４……光ディスク、５……操作部、１０，３２，４２……信号処理部、１１……表示部、１２……記録再生信号処理部、１３，３１，４１……コントロール部、１５……バッファメモリ、１６……メモリカード、１７……メモリカードドライブ、２１……実行確認ダイアログ、２２……サイズ確認ダイアログ、２３，２４，３５，５１，５３……画枠。
【図１】
2009044504.tif 000003
【図２】
2009044504.tif 000004
【図３】
2009044504.tif 000005
【図４】
2009044504.tif 000006
【図５】
2009044504.tif 000007
【図６】
2009044504.tif 000008
【図７】
2009044504.tif 000009